(57)【要約】【課題】  色空間ｓＹＣＣのカラー情報を受信した時、適切な回転処理が必要であるが、この対応は、明確になっていないという欠点があった。【解決手段】  色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧヘッダ情報を受信した時、ＪＰＥＧヘッダに含まれているＸパラメータによる主走査方向の画素数、及び、Ｙパラメータによる副走査方向の画素数により、画情報受信動作に移行時のプリント処理開始タイミングを変更する。【選択図】  図１
2006060556.tif 000002
【特許請求の範囲】
【請求項１】
色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧヘッダ情報を受信した時、ＪＰＥＧヘッダに含まれているＸパラメータによる主走査方向の画素数、及び、Ｙパラメータによる副走査方向の画素数により、画情報受信動作に移行時のプリント処理開始タイミングを変更する事を特徴とするファクシミリ装置。
【請求項２】
請求項１のファクシミリ装置において、色空間ｓＹＣＣのＪＰＥＧヘッダ情報を受信した時、受信情報の回転の必要性を判断して、その結果に基づいて、画情報受信動作に移行時のプリント処理開始タイミングを変更する事を特徴とするファクシミリ装置。
【請求項３】
請求項１、２のファクシミリ装置において、色空間ｓＹＣＣのＪＰＥＧヘッダ情報を受信した時、受信情報の回転の必要性を判断して、その結果に基づいて、受信情報の回転の必要性が無ければ、画情報受信動作に移行時にすぐにプリント処理開始し、受信情報の回転の必要性があれば、画情報受信動作に移行時に、１ページの画情報受信動作が終了後、プリント処理開始する事を特徴とするファクシミリ装置。
【請求項４】
色空間ｓＹＣＣのＪＰＥＧ情報を通信可能なファクシミリ通信方式において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧヘッダ情報を受信した時、ＪＰＥＧヘッダに含まれているＸパラメータによる主走査方向の画素数、及び、Ｙパラメータによる副走査方向の画素数により、画情報受信動作に移行時のプリント処理開始タイミングを変更する事を特徴とするファクシミリ通信方式。
【請求項５】
請求項４のファクシミリ通信方式において、色空間ｓＹＣＣのＪＰＥＧヘッダ情報を受信した時、受信情報の回転の必要性を判断して、その結果に基づいて、画情報受信動作に移行時のプリント処理開始タイミングを変更する事を特徴とするファクシミリ通信方式。
【請求項６】
請求項４、５のファクシミリ通信方式において、色空間ｓＹＣＣのＪＰＥＧヘッダ情報を受信した時、受信情報の回転の必要性を判断して、その結果に基づいて、受信情報の回転の必要性が無ければ、画情報受信動作に移行時にすぐにプリント処理開始し、受信情報の回転の必要性があれば、画情報受信動作に移行時に、１ページの画情報受信動作が終了後、プリント処理開始する事を特徴とするファクシミリ通信方式。
【発明の詳細な説明】
【技術分野】
【０００１】
本発明は、ファクシミリ装置、特に、ＪＰＥＧ情報を通信可能なファクシミリ装置に関するものである。
【背景技術】
【０００２】
従来のカラー情報を通信可能なファクシミリ装置は、ＩＴＵ−Ｔ勧告Ｔ．３０、Ｔ．４、Ｔ．８１、Ｔ．４２で、決まっていて、色空間Ｌａｂでのカラー通信であった。最近は、デジタルカメラが普及して、デジタルカメラで撮影した情報をそのままファクシミリプロトコルを使用して送信したいというニーズが高まってきた。これに伴い、デジタルカメラで使用している色空間はＬａｂでなく、色空間ｓＹＣＣでのカラー通信である。このため、色空間ｓＹＣＣでのＪＰＥＧ符号化情報をそのまま送信するプロトコルが検討中である（例えば、特許文献１）。
【特許文献１】特開２００４−２００８０６号公報
【発明の開示】
【発明が解決しようとする課題】
【０００３】
一般に、色空間ｓＹＣＣのＪＰＥＧフルカラー通信を考えると、カラー原稿情報の送信で無く、デジタルカメラで撮影しコンパクトフラッシュ（登録商標）カード等に格納されているファイル情報送信のケースが多い。この場合、デジタルスチルカメラの画素数は、ランドスケープで撮影した場合、（主走査１６００画素、副走査１２００画素）、（主走査１０２４画素、副走査７６８画素）、（主走査６４０画素、副走査４８０画素）等であり、一般的には、主走査方向の方が画素数が多く、Ａ４サイズの記録紙に記録する場合は、
回転して記録する必要がある。一方、ポートレートで撮影した場合、（主走査１２００画素、副走査１６００画素）、（主走査７６８画素、副走査１０２４画素）、（主走査４８０画素、副走査６４０画素）等であり、一般的には、主走査方向の方が画素数が少なく、Ａ４サイズの記録紙に記録する場合は、回転せずに記録する事ができる。
【０００４】
また、原稿情報を色空間ｓＹＣＣでカラー送信する場合も、主走査方向の方が画素数が少なく、Ａ４サイズの記録紙に記録する場合は、回転せずに記録する事ができる。
【０００５】
すなわち、色空間ｓＹＣＣのカラー情報を受信した時、適切な回転処理が必要であるが、この対応は、明確になっていないという欠点があった。
【課題を解決するための手段】
【０００６】
第１の本発明によれば、色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧヘッダ情報を受信した時、ＪＰＥＧヘッダに含まれているＸパラメータによる主走査方向の画素数、及び、Ｙパラメータによる副走査方向の画素数により、画情報受信動作に移行時のプリント処理開始タイミングを変更する事が可能になった。第２の本発明によれば、第１の本発明のファクシミリ装置において、色空間ｓＹＣＣのＪＰＥＧヘッダ情報を受信した時、受信情報の回転の必要性を判断して、その結果に基づいて、画情報受信動作に移行時のプリント処理開始タイミングを変更する事が可能になった。第３の本発明によれば、第１、２の本発明のファクシミリ装置において、色空間ｓＹＣＣのＪＰＥＧヘッダ情報を受信した時、受信情報の回転の必要性を判断して、その結果に基づいて、受信情報の回転の必要性が無ければ、画情報受信動作に移行時にすぐにプリント処理開始し、受信情報の回転の必要性があれば、画情報受信動作に移行時に、１ページの画情報受信動作が終了後、プリント処理開始する事が可能になった。
【０００７】
これらにより、色空間ｓＹＣＣのＪＰＥＧフルカラー受信を実行時、デジタルスチルカメラの画素数は、ランドスケープで撮影した場合、（主走査１６００画素、副走査１２００画素）、（主走査１０２４画素、副走査７６８画素）、（主走査６４０画素、副走査４８０画素）等であり、一般的には、主走査方向の方が画素数が多く、Ａ４サイズの記録紙に記録する場合は、回転して記録する必要があるので、１ページの画情報の受信終了後にプリントし、一方、ポートレートで撮影した場合、（主走査１２００画素、副走査１６００画素）、（主走査７６８画素、副走査１０２４画素）、（主走査４８０画素、副走査６４０画素）等であり、一般的には、主走査方向の方が画素数が少なく、Ａ４サイズの記録紙に記録する場合、あるいは、原稿情報を色空間ｓＹＣＣでカラー送信する場合も、主走査方向の方が画素数が少なく、Ａ４サイズの記録紙に記録する場合は、回転せずに記録する事ができるので、画情報の受信が開始したタイミングでの記録が可能になり、早く、プリントアウトが終了し、また、このケースでは確実にプリントできるという長所を有する。
【０００８】
第４から第６の本発明は、第１から第３の本発明をファクシミリ装置からファクシミリ通信方式にしたものである。
【発明の効果】
【０００９】
第１、２、３の本発明によれば、色空間ｓＹＣＣのＪＰＥＧフルカラー受信を実行時、デジタルスチルカメラの画素数は、ランドスケープで撮影した場合、（主走査１６００画素、副走査１２００画素）、（主走査１０２４画素、副走査７６８画素）、（主走査６４０画素、副走査４８０画素）等であり、一般的には、主走査方向の方が画素数が多く、Ａ４サイズの記録紙に記録する場合は、回転して記録する必要があるので、１ページの画情報の受信終了後にプリントし、一方、ポートレートで撮影した場合、（主走査１２００画素、副走査１６００画素）、（主走査７６８画素、副走査１０２４画素）、（主走査４８０画素、副走査６４０画素）等であり、一般的には、主走査方向の方が画素数が少なく、Ａ４サイズの記録紙に記録する場合、あるいは、原稿情報を色空間ｓＹＣＣでカラー送信する場合も、主走査方向の方が画素数が少なく、Ａ４サイズの記録紙に記録する場合は、回転せずに記録する事ができるので、画情報の受信が開始したタイミングでの記録が可能になり、早く、プリントアウトが終了し、また、このケースでは確実にプリントできるという長所を有する。
【００１０】
第４から第６の本発明は、第１から第３の本発明をファクシミリ装置からファクシミリ通信方式にしたものである。
【発明を実施するための最良の形態】
【００１１】
（実施例１）
以下、図面に示す実施の形態に基づいて、本発明を詳細に説明する。
【００１２】
図１には、本発明の実施の形態であるファクシミリ装置がブロック図として図示されている。
【００１３】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１４】
４は、電話機である。
【００１５】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１６】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１７】
１０は、発呼回路であり、バス２６からの信号により、電話番号情報を入力し、信号線１０ａにＤＴＭＦの選択信号を出力する。
【００１８】
１２は、加算回路であり、信号線８ａの情報と信号線１０ａの情報を入力し、加算した結果を信号線１２ａに出力する。
【００１９】
１４は、カラー読み取り可能な読取回路であり、読み取りデータをバス２６に出力する。
【００２０】
１６は、カラー記録可能な記録回路であり、バス２６に出力されている情報を順次１ライン毎に記録する。
【００２１】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納する。
【００２２】
２０は、操作部であり、ワンタッチダイヤル、短縮ダイヤル、テンキー、＊キー、＃キー、スタートキー、ストップキー、セットキー、ファイル情報の送信を選択するキー、カラー情報送信選択キー、その他のファンクションキーがあり、押下されたキー情報はバス２６に出力される。
【００２３】
操作部には、表示部があり、バス２６に出力されている情報を入力し、表示する。
【００２４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２５】
２６は、バスである。
【００２６】
２８は、カードインターフェイスであり、３０のカード（例えば、デジタルカメラで撮影した情報が記憶されているコンパクトフラッシュ（登録商標）カード）がセットされる。
【００２７】
図２には、本発明により、カラー関連のビット情報、さらに、新規にＩＴＵ−Ｔ勧告Ｔ．３０に追加する情報が図示されている。
【００２８】
ＤＩＳ／ＤＴＣ信号のＦＩＦの６８ビットにより、色空間ＬａｂでのＪＰＥＧ符号化での受信機能の有無を通知し、ＤＣＳ信号のＦＩＦの６８ビットにより、色空間ＬａｂでのＪＰＥＧ符号化での送信を指定をする。
【００２９】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間はＬａｂであるフルカラー送信を指定をする。
【００３０】
ＤＩＳ／ＤＴＣ信号のＦＩＦのＸビットにより、色空間ｓＹＣＣでのＪＰＥＧ符号化受信機能の有無を通知し、ＤＣＳ信号のＦＩＦのＸビットにより、色空間ｓＹＣＣでのＪＰＥＧ符号化送信を指定をする。
【００３１】
２４は、色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧヘッダ情報を受信した時、ＪＰＥＧヘッダに含まれているＸパラメータによる主走査方向の画素数、及び、Ｙパラメータによる副走査方向の画素数により、画情報受信動作に移行時のプリント処理開始タイミングを変更する。ここで、色空間ｓＹＣＣのＪＰＥＧヘッダ情報を受信した時、受信情報の回転の必要性を判断して、その結果に基づいて、画情報受信動作に移行時のプリント処理開始タイミングを変更する。
【００３２】
より具体的には、色空間ｓＹＣＣのＪＰＥＧヘッダ情報を受信した時、受信情報の回転の必要性を判断して、その結果に基づいて、受信情報の回転の必要性が無ければ、画情報受信動作に移行時にすぐにプリント処理開始し、受信情報の回転の必要性があれば、画情報受信動作に移行時に、１ページの画情報受信動作が終了後、プリント処理開始する。
【００３３】
以上の制御プログラムが格納されている。
【００３４】
図３、４、５には、図１の制御の流れ図が図示されている。
【００３５】
図３において、S0は、始めを表している。
【００３６】
Ｓ２は、バス２６を介して、メモリ１８をイニシャライズする事を表している。
【００３７】
Ｓ４は、バス２６を介して、操作部の表示部をクリアする事を表している。
【００３８】
Ｓ６では、バス２６を介してＮＣＵ２のCMLをオフする。
【００３９】
Ｓ８では、ファクシミリ受信が選択されたか否かが判断されＹＥＳであるとＳ１２に進み、ＮＯであるとＳ１０に進み、その他の処理をする。
【００４０】
Ｓ１２では、バス２６を介してＮＣＵ２のCMLをオンする。
【００４１】
Ｓ１４は前手順を表している。ここで、ＤＩＳ信号のＦＩＦの６８、６９、Ｘビットは１とする。
【００４２】
Ｓ１６では、ＤＣＳ信号のＦＩＦのＸビットは１であるか否かが判断され、ＹＥＳであるとＳ１８に進み、ＮＯであるとＳ３４に進む。
【００４３】
Ｓ１８は、色空間ｓＹＣＣのＪＰＥＧ符号化データのヘッダを受信する事を表している。
【００４４】
Ｓ２０では、ＪＰＥＧ符号化のヘッダの主走査方向の画素数を表すＸパラメータと副走査方向のライン数を表すＹパラメータはともに受信したか否かが判断されＹＥＳであるとＳ２２に進み、ＮＯであるとＳ４０に進む。
【００４５】
Ｓ２２では、ＪＰＥＧ符号化のヘッダの主走査方向の画素数を表すＸパラメータが副走査方向のライン数を表すＹパラメータより大きいか否かが判断されＹＥＳであるとＳ２４に進み、ＮＯであるとＳ４０に進む。
【００４６】
Ｓ２０、Ｓ２２は、本発明の重要な制御である。
【００４７】
色空間ｓＹＣＣのＪＰＥＧ情報を通信可能なファクシミリ装置において、前手順にて、色空間ｓＹＣＣでのＪＰＥＧ符号化情報の受信機能の有無を通知する手段、一方、送信機から受信機に、色空間ｓＹＣＣでのＪＰＥＧ符号化情報の送信を指定する手段を有し、色空間ｓＹＣＣのＪＰＥＧヘッダ情報を受信した時、ＪＰＥＧヘッダに含まれているＸパラメータによる主走査方向の画素数、及び、Ｙパラメータによる副走査方向の画素数により、画情報受信動作に移行時のプリント処理開始タイミングを変更する。
【００４８】
色空間ｓＹＣＣのＪＰＥＧフルカラー受信を実行時、デジタルスチルカメラの画素数は、ランドスケープで撮影した場合、（主走査１６００画素、副走査１２００画素）、（主走査１０２４画素、副走査７６８画素）、（主走査６４０画素、副走査４８０画素）等であり、一般的には、主走査方向の方が画素数が多く、Ａ４サイズの記録紙に記録する場合は、回転して記録する必要があるので、１ページの画情報の受信終了後にプリントし、一方、ポートレートで撮影した場合、（主走査１２００画素、副走査１６００画素）、（主走査７６８画素、副走査１０２４画素）、（主走査４８０画素、副走査６４０画素）等であり、一般的には、主走査方向の方が画素数が少なく、Ａ４サイズの記録紙に記録する場合、あるいは、原稿情報を色空間ｓＹＣＣでカラー送信する場合も、主走査方向の方が画素数が少なく、Ａ４サイズの記録紙に記録する場合は、回転せずに記録する事ができるので、画情報の受信が開始したタイミングでの記録が可能になり、早く、プリントアウトが終了し、また、このケースでは確実にプリントできるという長所を有する。
【００４９】
一方、Ｓ２０でのＮＯは、Ｙパラメータが通知されないケースであり、このケースは送信機側で、原稿情報を送信していると判断でき、回転は不要という制御を実行している事も重要である。
【００５０】
以上が本発明の特許のポイントである。
【００５１】
Ｓ２４は、色空間ｓＹＣＣのＪＰＥＧファイル情報をメモリ受信する事を表している。すなわち、受信情報は回転して、プリントする必要があり、一度、メモリに１ページ受信終了後、プリントする。ここで、Ｓ３０で開始したプリントを必要に応じて実行（前ページのプリントを実行）する。
【００５２】
Ｓ２６では、１ページの受信が終了したか否かが判断されＹＥＳであるとＳ２８に進み、ＮＯであるとＳ２４に進む。
【００５３】
Ｓ２８は、中間手順を表している。
【００５４】
Ｓ３０は、受信情報を回転してカラープリントの開始をする事を表している。
【００５５】
Ｓ３２では、次情報の受信があるか否かが判断されＹＥＳであるとＳ１８に進み、ＮＯであるとＳ３４に進む。
【００５６】
Ｓ３４は、後手順を表している。
【００５７】
Ｓ３６では、バス２６を介してＮＣＵ２のCMLをオフする。
【００５８】
Ｓ３８は、必要に応じて、未プリント情報をカラープリントする事を表している。
【００５９】
Ｓ４０は、色空間ｓＹＣＣのＪＰＥＧ符号化ファイル情報を受信し、プリントする事を表している。
【００６０】
Ｓ４２では、１ページの受信が終了したか否かが判断されＹＥＳであるとＳ４４に進み、ＮＯであるとＳ４０に進む。
【００６１】
Ｓ４４は、中間手順を表している。
【００６２】
Ｓ４６では、次情報の受信があるか否かが判断されＹＥＳであるとＳ１８に進み、ＮＯであるとＳ４８に進む。
【００６３】
Ｓ４８は、後手順を表している。
【図面の簡単な説明】
【００６４】
【図１】本発明によるファクシミリ装置の実施例のブロック図。
【図２】本発明によるＤＩＳ／ＤＴＣ、ＤＣＳ信号のＦＩＦ情報の具体例。
【図３】本発明による制御の流れ図。
【図４】本発明による制御の流れ図。
【図５】本発明による制御の流れ図。
【符号の説明】
【００６５】
２  NCU
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインターフェイス
３０  コンパクトフラッシュ（登録商標）カード
【図１】
2006060556.tif 000003
【図２】
2006060556.tif 000004
【図３】
2006060556.tif 000005
【図４】
2006060556.tif 000006
【図５】
2006060556.tif 000007